(57)【特許請求の範囲】
【請求項１】
無線機器コントローラＲＥＣが共通公衆無線インターフェースＣＰＲＩプロトコルに基づいて、無線機器ＲＥへデータ伝送を行う際、前記ＲＥＣが前記ＲＥの拡張制御ワードを複数のスーパーフレームに設けるステップと、ここで、異なるスーパーフレーム中の位置が同一である拡張制御ワードの意味は異なっていて、
前記ＲＥＣが前記ＲＥへ前記スーパーフレームを伝送するステップを含むデータ伝送方法。
【請求項２】
前記ＲＥＣが前記ＲＥの拡張制御ワードを複数のスーパーフレームに設けるステップが、
事前約定に従って、異なるＲＥの拡張制御ワードをそれぞれ、異なるスーパーフレームに設けるステップと、
事前約定に従って、一つのＲＥの拡張制御ワードを異なるスーパーフレームに設けるステップの中の少なくとも一つを含む請求項１に記載の方法。
【請求項３】
前記ＲＥＣが前記ＣＰＲＩプロトコルに基づいて前記ＲＥへデータ伝送を行う際、前記ＲＥＣが前記ＲＥの拡張制御ワードを複数のスーパーフレームに設けるステップが、
前記ＲＥに必要な拡張制御ワードの数量と拡張制御ワードを伝送するための基本フレームの数量とに基づいて、拡張制御ワードを伝送するためのスーパーフレームの数量を確定し、ここで、スーパーフレームの数量は少なくとも二つであって、
前記ＲＥの拡張制御ワードをそれぞれ、確定された複数のスーパーフレームに設けるステップを含む請求項１又は２に記載の方法。
【請求項４】
異なるＲＥの拡張制御ワードを異なるスーパーフレームにそれぞれ設けた場合、
前記ＲＥＣが前記ＲＥに自己検査シグナルデータパケットを送信し、
前記ＲＥＣが、前記ＲＥが前記自己検査シグナルデータパケットに基づいてデータチェックを行ってからフィードバックされた前記自己検査シグナルデータパケットに対するチェック成功の応答メッセージを受信した後、ＲＥシグナル状態が正常であると判定するステップをさらに含む請求項２に記載の方法。
【請求項５】
無線機器ＲＥが共通公衆無線インターフェースＣＰＲＩプロトコルに基づいて、無線機器コントローラＲＥＣへデータ伝送を行う際、前記ＲＥが前記ＲＥの拡張制御ワードを複数のスーパーフレームに設けるステップと、ここで、異なるスーパーフレーム中の位置が同一である拡張制御ワードの意味は異なっていて、
前記ＲＥが前記ＲＥＣへ前記スーパーフレームを伝送するステップを含むデータ伝送方法。
【請求項６】
前記ＲＥが前記ＲＥの拡張制御ワードを複数のスーパーフレームに設けるステップが、
事前約定に従って、異なるＲＥの拡張制御ワードをそれぞれ、異なるスーパーフレームに設けるステップと、
事前約定に従って、一つのＲＥの拡張制御ワードを異なるスーパーフレームに設けるステップの中の少なくとも一つを含む請求項５に記載の方法。
【請求項７】
前記ＲＥが前記ＣＰＲＩプロトコルに基づいて前記ＲＥＣへデータ伝送を行う際、前記ＲＥが前記ＲＥの拡張制御ワードを複数のスーパーフレームに設けるステップが、
前記ＲＥに必要な拡張制御ワードの数量と拡張制御ワードを伝送するための基本フレームの数量とに基づいて、拡張制御ワードを伝送するためのスーパーフレームの数量を確定し、ここで、スーパーフレームの数量は少なくとも二つであって、
前記ＲＥの拡張制御ワードをそれぞれ、確定された複数のスーパーフレームに設けるステップを含む請求項５又は６に記載の方法。
【請求項８】
異なるＲＥの拡張制御ワードを異なるスーパーフレームにそれぞれ設けた場合、
前記ＲＥが、前記ＲＥＣから前記ＲＥに送信した自己検査シグナルデータパケットを受信し、
前記ＲＥが、前記自己検査シグナルデータパケットに基づいてデータチェックを行うステップをさらに含む請求項６に記載の方法。
【請求項９】
前記ＲＥが前記自己検査シグナルデータパケットに基づいて、データチェックを行うステップが、
前記ＲＥが前記自己検査シグナルデータパケットが自分に所属されるか否かを判定し、
前記自己検査シグナルデータパケットが自分に所属されると判定された場合、前記自己検査シグナルデータパケットに基づいてデータチェックを行い、そうでないと、他のＲＥがデータチェックを行うように、前記自己検査シグナルデータパケットを他のＲＥに転送し、
データチェックに成功した後、前記ＲＥＣに前記自己検査シグナルデータパケットのチェック成功の応答メッセージを発するステップを含む請求項８に記載の方法。
【請求項１０】
共通公衆無線インターフェースＣＰＲＩプロトコルに基づいて、無線機器ＲＥへデータ伝送を行う際、前記ＲＥの拡張制御ワードを複数のスーパーフレームに設け、ここで、異なるスーパーフレーム中の位置が同一である拡張制御ワードの意味は異なっていて、
前記ＲＥへ前記スーパーフレームを伝送する無線機器コントローラＲＥＣ。
【請求項１１】
事前約定に従って、異なるＲＥの拡張制御ワードをそれぞれ、異なるスーパーフレームに設ける態様と、
事前約定に従って、一つのＲＥの拡張制御ワードを異なるスーパーフレームに設ける態様の中の少なくとも一つの態様で、前記ＲＥの拡張制御ワードを複数のスーパーフレームに設ける請求項１０に記載のＲＥＣ。
【請求項１２】
前記ＲＥに必要な拡張制御ワードの数量と拡張制御ワードを伝送するための基本フレームの数量とに基づいて、拡張制御ワードを伝送するためのスーパーフレームの数量を確定し、ここで、スーパーフレームの数量は少なくとも二つであって、
前記ＲＥの拡張制御ワードをそれぞれ、確定された複数のスーパーフレームに設けることで、前記ＲＥの拡張制御ワードを複数のスーパーフレームに設ける請求項１０又は１１に記載のＲＥＣ。
【請求項１３】
異なるＲＥの拡張制御ワードを異なるスーパーフレームにそれぞれ設けた場合、
前記ＲＥに自己検査シグナルデータパケットを送信し、
前記ＲＥが前記自己検査シグナルデータパケットに基づいてデータチェックを行って成功してからフィードバックした自己検査応答データパケットを受信した後、前記自己検査応答データパケットに基づいて、ＲＥシグナル状態が正常であると判定する請求項１１に記載のＲＥＣ。
【請求項１４】
共通公衆無線インターフェースＣＰＲＩプロトコルに基づいて、無線機器コントローラＲＥＣへデータ伝送を行う際、拡張制御ワードを複数のスーパーフレームに設け、ここで、異なるスーパーフレーム中の位置が同一である拡張制御ワードの意味は異なっていて、
前記ＲＥＣに前記スーパーフレームを送信する無線機器ＲＥ。
【請求項１５】
事前約定に従って、異なるＲＥの拡張制御ワードをそれぞれ、異なるスーパーフレームに設ける態様と、
事前約定に従って、一つのＲＥの拡張制御ワードを異なるスーパーフレームに設ける態様の中の少なくとも一つの態様で、前記ＲＥの拡張制御ワードを複数のスーパーフレームに設ける請求項１４に記載のＲＥ。
【請求項１６】
前記ＲＥに必要な拡張制御ワードの数量と拡張制御ワードを伝送するための基本フレームの数量に基づいて、拡張制御ワードを伝送するためのスーパーフレームの数量を確定する態様と、ここで、スーパーフレームの数量は少なくとも二つであって、
前記ＲＥの拡張制御ワードをそれぞれ、確定された複数のスーパーフレームに設ける態様の中の少なくとも一つの態様で、前記ＲＥの拡張制御ワードを複数のスーパーフレームに設ける請求項１４又は１５に記載のＲＥ。
【請求項１７】
異なるＲＥの拡張制御ワードを異なるスーパーフレームにそれぞれ設けた場合、
前記ＲＥＣから送信した自己検査シグナルデータパケットを受信し、
前記自己検査シグナルデータパケットに基づいてデータチェックを行う請求項１５に記載のＲＥ。
【請求項１８】
受信されたＲＥＣからの自己検査シグナルデータパケットが現在のＲＥに所属されるか否かを判定し、
前記自己検査シグナルデータパケットが現在のＲＥに所属されると判定された場合、前記自己検査シグナルデータパケットに基づいてデータチェックを行い、そうでないと、他のＲＥがデータチェックを行うように、前記自己検査シグナルデータパケットを他のＲＥに送信し、
データチェックに成功した後、前記ＲＥＣに前記自己検査シグナルデータパケットのチェック成功の応答メッセージを送信する態様で、前記自己検査シグナルデータパケットに基づいてチェックを行う請求項１７に記載のＲＥ。
【発明の詳細な説明】
【技術分野】
【０００１】
本発明は、通信分野に関し、具体的に、データ伝送方法及び装置に関するものである。
【背景技術】
【０００２】
現在、通信分野において、分布式基地局システムを開発する際に共通公衆無線インターフェース（Ｃｏｍｍｏｎ  Ｐｕｂｌｉｃ  Ｒａｄｉｏ  Ｉｎｔｅｒｆａｃｅ、ＣＰＲＩと略称）標準プロトコルを利用している。ＣＰＲＩプロトコルにて、無線基地局機器中の無線機器コントローラ（Ｒａｄｉｏ  Ｅｑｕｉｐｍｅｎｔ  Ｃｏｎｔｒｏｌｌｅｒ、ＲＥＣと略称）と無線機器（Ｒａｄｉｏ  Ｅｑｕｉｐｍｅｎｔ、ＲＥと略称）との間のインターフェース標準を規定した。
【０００３】
図１は、関連技術に係わるＲＥＣとＲＥとの接続を示す図であり、図１に示すように、一つのＲＥＣに複数のＲＥが接続されることができ、各ＲＥに他のＲＥが接続されることもでき、ここで、ＲＥ同士間の接続は鎖状構造をなすことができれば、ツリー構造又は環状構造をなすこともできる。
【０００４】
ＣＰＲＩを例にすると、ＣＰＲＩに各基本フレームの周期が１/３.８４Ｍであって、一つの制御ワードと１５個ワードのＩＱ領域からなり、まず制御ワード部分を伝送すると規定された。２５６個の基本フレームによって一つのスーパーフレームを構成し、１５０個のスーパーフレームによって一つの１０ｍｓ無線フレームを構成する。一つのスーパーフレームには２５６個の制御ワードフィールドのみが含まれ、ここで、一部の制御ワードフィールドは既にプロトコルが占めているので、利用可能の制御ワードフィールドは２５６未満である。
【０００５】
通信産業の発展に伴って、支援する業務タイプ及び業務データ量はいずれも増加していて、プロトコルの制御ワード部分に対する需要もますます増加しているが、プロトコル制御ワードの総数は同期して発展進化していなく、また、ユーザシステムの発展に伴って制御ワードに対する需要も増加し、ユーザに必要な特定情報も増加し、プロトコル制御ワードの総数が限られて状況下、ユーザシステムの発展の要求を満たすことができない問題が存在している。
関連技術において制御ワードが限られて需要を満たすことができない問題について、未だに有効な解決案を提示していない。
【発明の概要】
【発明が解決しようとする課題】
【０００６】
本発明の実施例は、少なくとも上記問題を解決できるデータ伝送方法及び装置を提供することをその目的とする。
【課題を解決するための手段】
【０００７】
本発明の実施例の一態様によると、ＲＥＣとＲＥとの間でデータ伝送を行う際、前記ＲＥの拡張制御ワードを複数のスーパーフレームに設け、ここで、異なるスーパーフレーム中の位置が同一である拡張制御ワードの意味は異なっていて、通信相手に前記スーパーフレームを伝送するステップを含むデータ伝送方法を提供する。
【０００８】
前記ＲＥの拡張制御ワードを複数のスーパーフレームに設けるステップが、事前約定に従って、異なるＲＥの拡張制御ワードをそれぞれ、異なるスーパーフレームに設けるステップと、事前約定に従って、一つのＲＥの拡張制御ワードを異なるスーパーフレームに設けるステップの中の少なくとも一つを含むことが好ましい。
【０００９】
前記ＲＥＣと前記ＲＥとの間でデータ伝送を行う際、前記ＲＥの拡張制御ワードを複数のスーパーフレームに設けるステップが、前記ＲＥに必要な拡張制御ワードの数量と拡張制御ワードを伝送するための基本フレームの数量とに基づいて、拡張制御ワードを伝送するためのスーパーフレームの数量を確定し、ここで、スーパーフレームの数量は少なくとも二つであって、前記ＲＥの拡張制御ワードをそれぞれ、確定された複数のスーパーフレームに設けるステップを含むことが好ましい。
【００１０】
前記方法が、前記ＲＥＣが前記ＲＥに自己検査シグナルデータパケットを送信し、前記ＲＥが前記自己検査シグナルデータパケットに基づいて、データチェックを行い、前記ＲＥＣが前記ＲＥからフィードバックされた前記自己検査シグナルデータパケットに対するチェック成功の応答メッセージを受信した後、前記ＲＥシグナル状態が正常であると判定するステップをさらに含むことが好ましい。
【００１１】
前記ＲＥが前記自己検査シグナルデータパケットに基づいて、データチェックを行うステップが、前記ＲＥが前記自己検査シグナルデータパケットが自分に所属されるか否かを判定し、前記自己検査シグナルデータパケットが自分に所属されると判定された場合、前記自己検査シグナルデータパケットに基づいて、データチェックを行い、そうでないと、他のＲＥがデータチェックを行うように、前記自己検査シグナルデータパケットを他のＲＥに転送し、データチェックに成功した後、前記ＲＥＣに前記自己検査シグナルデータパケットのチェック成功の応答メッセージを発するステップを含むことが好ましい。
【００１２】
本発明の実施例の他の態様によると、ＲＥＣ及び/又はＲＥ側に設定されるデータ伝送装置であって、ＲＥＣとＲＥとの間でデータ伝送を行う際、前記ＲＥの拡張制御ワードを複数のスーパーフレームに設ける設定モジュールと、ここで、異なるスーパーフレーム中の位置が同一である拡張制御ワードの意味は異なっていて、通信相手に前記スーパーフレームを送信する送信モジュールとを含むデータ伝送装置を提供する。
【００１３】
前記設定モジュールが、事前約定に従って、異なるＲＥの拡張制御ワードをそれぞれ、異なるスーパーフレームに設けるか、又は、事前約定に従って、一つのＲＥの拡張制御ワードを異なるスーパーフレームに設ける中の少なくとも一つの態様に設けられることが好ましい。
【００１４】
前記設定モジュールが、前記ＲＥに必要な拡張制御ワードの数量と拡張制御ワードを伝送するための基本フレームの数量に基づいて、拡張制御ワードを伝送するためのスーパーフレームの数量を確定し、ここで、スーパーフレームの数量は少なくとも二つであって、また、前記ＲＥの拡張制御ワードをそれぞれ、確定された複数のスーパーフレームに設けることが好ましい。
【００１５】
前記装置が、前記ＲＥから送信された自己検査応答データパケットを受信した場合、前記自己検査応答データパケットに基づいて、前記ＲＥシグナルの状態が正常であると判定する自己検査モジュールをさらに含み、ここで、前記自己検査応答データパケットは、前記ＲＥが受信したＲＥＣ自己検査シグナルデータパケットに基づいてデータチェックを行ってチェックに成功した後に送信されるものであることが好ましい。
【００１６】
前記装置が、受信されたＲＥＣからの自己検査シグナルデータパケットが現在のＲＥに所属されるか否かを判定し、前記自己検査シグナルデータパケットが現在のＲＥに所属されると判定された場合、前記自己検査シグナルデータパケットに基づいてデータチェックを行い、そうでないと、他のＲＥがデータチェックを行うように、前記自己検査シグナルデータパケットを他のＲＥに送信し、また、データチェックに成功した後、前記ＲＥＣに前記自己検査シグナルデータパケットのチェック成功の応答メッセージを送信する自己検査モジュールをさらに含むことが好ましい。
【発明の効果】
【００１７】
本発明の実施例によると、無線機器コントローラＲＥＣと無線機器ＲＥとの間でデータ伝送を行う際、ＲＥの拡張制御ワードを複数のスーパーフレームに設け、ここで、異なるスーパーフレーム中の位置が同一である拡張制御ワードの意味は異なっていて、また、通信相手にスーパーフレームを送信することで、制御ワードが限られて需要を満たすことができない問題を解決し、制御ワードを増加できる効果を実現できる。
【図面の簡単な説明】
【００１８】
ここで説明する図面は本発明を理解させるためのもので、本発明の一部を構成し、本発明における実施例と共に本発明を解釈し、本発明を不当に限定するのではない。
【図１】図１は、関連技術に係わるＲＥＣとＲＥの接続を示す図である。
【図２】図２は、本発明の実施例に係わるデータ伝送方法を示すフローチャートである。
【図３】図３は、本発明の実施例に係わるデータ伝送装置の構造を示す図である。
【図４】図４は、本発明の好適な実施例に係わるデータ伝送方法を示すフローチャート１である。
【図４ａ】図４ａは、本発明の実施例に係わるＣＰＲＩにおける制御ワード拡張方式を示す図である。
【図５】図５は、本発明の好適な実施例に係わるデータ伝送方法を示すフローチャート２である。
【図６】図６は、本発明の好適な実施例に係わるシグナルがオンラインで下り処理を自己検査する方法を示すフローチャートである。
【発明を実施するための形態】
【００１９】
以下、図面を参照しつつ実施例を結合して本発明の実施例を詳しく説明する。ここで、衝突しない限り、本願の実施例及び実施例中の特徴を互いに組み合わせることができる。
【実施例１】
【００２０】
本発明の実施例によると、データ伝送方法を提供し、図２は本発明の実施例に係わるデータ伝送方法を示すフローチャートであり、図２に示すように、以下のステップを含む。
ＲＥＣとＲＥとの間でデータ伝送を行う際、ＲＥの拡張制御ワード情報を複数のスーパーフレームに設け（ステップＳ２０２）、ここで、異なるスーパーフレーム中の位置が同一である拡張制御ワード情報の意味は異なる。
通信相手にスーパーフレームを送信する（ステップＳ２０４）。
【００２１】
上記ステップによると、ＲＥの拡張制御ワード情報を複数のスーパーフレームに設け、ここで、異なるスーパーフレーム中の位置が同一である拡張制御ワード情報の意味は異なっていて、これにより、関連技術においてＲＥの制御ワード情報が異なるスーパーフレームにおける位置が同一であると意味が同一であるやり方を改変し、即ち、各スーパーフレームにおける位置が同一である制御ワードの意味が同一ではない複数のスーパーフレームを送信することで、制御ワードが限られて需要を満たすことができない問題を解決することができる。
【００２２】
拡張制御ワードを設ける方式はさまざまで、本実施例において以下のような２種類の好適な方式を提供する。即ち、事前約定に従って、異なるＲＥの拡張制御ワード情報をそれぞれ、異なるスーパーフレームに設けることができ、また、事前約定に従って、一つのＲＥの拡張制御ワード情報を異なるスーパーフレームに設けることもできる。
【００２３】
複数のスーパーフレームを確定することで制御ワードを設ける方式はさまざまであり、例えば、前記ＲＥに必要な拡張制御ワードの数量及び拡張制御ワードを伝送するための基本フレームの数量に基づいて、拡張制御ワードを伝送するためのスーパーフレームの数量を確定し、ここで、スーパーフレームの数量は少なくとも二つであって、その後、ＲＥに必要な拡張制御ワードをそれぞれ、確定された複数のスーパーフレームに設けることができる。当該方式によると、同じ拡張制御ワードを伝送する際に用いられるスーパーフレームの数量が最も少ない。他の実施例において他のスーパーフレーム確定方法を利用することもできることは言うまでもない。
【００２４】
異なるＲＥの制御情報を異なるスーパーフレームに設けることができれば、ＲＥＣがＲＥに自己検査シグナルデータパケットを送信し、ＲＥが当該自己検査シグナルデータパケットに基づいてデータチェックを行い、その後、ＲＥＣがＲＥからフィードバックされた自己検査シグナルデータパケットに対するチェック成功の応答メッセージを受信した後、前記ＲＥシグナル状態が正常であると確定する。ＣＰＲＩプロトコルを例にすると、ＣＰＲＩプロトコルの制御ワードが、高速であるイーサネット（登録商標）と低速である高級データリンク制御（Ｈｉｇｈ  Ｌｅｖｅｌ  Ｄａｔａ  Ｌｉｎｋ  Ｃｏｎｔｒｏｌ、ＨＤＬＣと略称）の２種類のシグナルデータを含み、ロジックの機能は低層伝送のみで、対応するシグナルデータをソフトウェアに伝送し、ソフトウェアによって当該シグナルデータが正確であるか否かを検出し、ロジックは自分でデータ伝送の正確性を判定することができない。シグナルデータに異常が発生すると、ソフトウェアによる処理に異常が発生したかそれともロジックによる伝送に異常が発生したかを直観的に区別することができないので、このような故障の判定が困難であった。当該好適な実施例によると、関連技術においてソフトウェアによりシグナルデータを検出するやり方を変えて、異常がソフトウェアの異常であるかそれともロジック伝送の異常であるかを直接に確定することができる。そして、他の実施例において自己検査を行うこともできる。
【００２５】
ＲＥＣがオンラインで自己検査を行っていると、ＲＥは自己検査シグナルデータパケットが自分に所属されるか否かを判定し、当該自己検査シグナルデータパケットが自分に所属されると判定した場合、自己検査シグナルデータパケットに基づいて、データチェックを行い、そうでないと、他のＲＥがデータチェックを行うように、自己検査シグナルデータパケットを他のＲＥに転送し、データチェックに成功した後、ＲＥＣに自己検査シグナルデータパケットのチェック成功の応答メッセージを送信する。当該実施例において、ＲＥが受信した自己検査シグナルデータパケットが自分に所属するものである可能性があれば他のＲＥに所属される可能性もあることに鑑み、異なる状況で異なる処理を行われければならない。
【実施例２】
【００２６】
本実施例において、データ伝送装置を提供し、当該装置は上記実施例及び好適な実施形態を実現するものであって、既に説明した部分の説明は省略する。以下の説明で使用される用語「モジュール」は、所定の機能を実現できるソフトウェア及び/又はハードウェアの組み合わせである。以下の実施例で説明する装置をソフトウェアで実現することが好ましいが、ハードウェア又はソフトウェアとハードウェアとの組み合わせで実現することも可能である。
【００２７】
図３は本発明の実施例に係わるデータ伝送装置の構造を示す図であり、図３に示すように、当該装置は、設定モジュール３２と、送信モジュール３４と、を含み、以下その構造を説明する。
設定モジュール３２は、無線機器コントローラＲＥＣと無線機器ＲＥとの間でデータ伝送を行う際、ＲＥの拡張制御ワード情報を複数のスーパーフレームに設け、ここで、異なるスーパーフレーム中の位置が同一である拡張制御ワード情報の意味は異なる。
送信モジュール３４は、通信相手に前記スーパーフレームを送信する。
【００２８】
設定モジュール３２は、事前約定に従って、異なるＲＥの拡張制御ワード情報をそれぞれ、異なるスーパーフレームに設けるように設定されるか、事前約定に従って、一つのＲＥの拡張制御ワード情報を異なるスーパーフレームに設けるように設定されるかの中の少なくとも一つの形態に設定される。
【００２９】
設定モジュール３２はさらに、ＲＥに必要な拡張制御ワードの数量及び拡張制御ワードを伝送するための基本フレームの数量に基づいて、拡張制御ワードを伝送するためのスーパーフレームの数量を確定し、ここで、スーパーフレームの数量は少なくとも二つであって、また、ＲＥに必要な拡張制御ワードをそれぞれ、確定された複数のスーパーフレームに設けることが好ましい。
【００３０】
当該装置が、ＲＥから送信された自己検査応答データパケットを受信した場合、自己検査応答データパケットに基づいて、ＲＥシグナル状態が正常であると確定する自己検査モジュール３４をさらに含むことが好ましく、ここで、自己検査応答データパケットは、ＲＥが受信したＲＥＣ自己検査シグナルデータパケットに基づいてデータチェックを行って、チェックに成功した後に送信されるものである。
【００３１】
自己検査モジュール３４が、受信したＲＥＣからの自己検査シグナルデータパケットが現在のＲＥに所属すると確定された場合、自己検査シグナルデータパケットに基づいて、データチェックを行い、そうでないと、他のＲＥがデータチェックを行うように、自己検査シグナルデータパケットを他のＲＥに転送し、データチェックに成功した後、ＲＥＣに前記自己検査シグナルデータパケットのチェック成功の応答メッセージを送信することが好ましい。
【実施例３】
【００３２】
本実施例において、一つのＲＥＣに三つのＲＥ（ＲＥ１＼ＲＥ２＼ＲＥ３）が接続され、各ＲＥは鎖形トポロジ構造であって、各ＲＥの下りでＸ個の拡張制御ワードを拡張する必要があって、一つの基本フレームで一つの固定された制御ワードのみを伝送すると仮説する。
【００３３】
図４は本発明の好適な実施例に係わるデータ伝送方法を示すフローチャート１であり、図４に示すように、以下のステップを含む。
スーパーフレームの数量を確定する（ステップＳ４０２）。
ＲＥＣがＩＱデータをＲＥに送信する際、まず、必要なスーパーフレームの数量を確定しなければならない。図４ａは、本発明の実施例に係わるＣＰＲＩにおいて制御ワードの拡張方式を示す図であり、図４ａに示すように、Ｍ個のスーパーフレーム中のＸ個の基本フレームを用いて、Ａ個の異なるＲＥの拡張制御ワードを伝送し、具体的には、２５６個の基本フレームからＸ（Ｘ＞＝１）個の基本フレームを選択して、Ｘ個の拡張制御ワードの拡張に利用し、Ｘの具体的な値に基づいて、１５０個のスーパーフレームから、各ＲＥの拡張制御ワードの伝送用のＭ個のスーパーフレームを確定する。本実施例において、各ＲＥが二つのスーパーフレームを利用しなければ下り拡張を完成することができないと仮説すると、三つのＲＥに六つのスーパーフレームが必要で、即ち、Ｍ＝６である。
【００３４】
各ＲＥと各スーパーフレームとの間の対応関係を確立する（ステップＳ４０４）。
下りＲＥＣがＭ（Ｍ＝６）個のスーパーフレームにそれぞれ、異なるＲＥの拡張制御ワードを設ける。事前約定に従って、第０＼１号のスーパーフレームにＲＥ１のＸ個の拡張制御ワードを設け、第２＼３号のスーパーフレームにＲＥ２のＸ個の拡張制御ワードを設け、第４＼５号のスーパーフレームにＲＥ３のＸ個の拡張制御ワードを設け、つまり、Ｘ個の基本フレームが、事前約定に従って、異なるスーパーフレームで異なるＲＥの具体的な拡張制御ワードを伝送する。
【００３５】
ＲＥＣがＲＥにスーパーフレームを送信する（ステップＳ４０６）。
ＲＥＣがＲＥにＭ（Ｍ＝６）個のスーパーフレームを送信する。ＲＥＣがＭ個のスーパーフレームを送信した後、即ち、全てのＲＥの拡張制御ワードを送信した後、再びスーパーフレーム番号に従って、ＲＥに拡張制御ワードを繰り返して送信することができる。
【００３６】
ＲＥが制御ワードを解析する（ステップＳ４０８）。
下りの全てのＲＥがスーパーフレーム番号に応じて、異なるスーパーフレーム中のＸ個の基本フレームを解析する。ＲＥ１は、スーパーフレームを受信した後、スーパーフレームが第０＼１号のスーパーフレームであるか否かを判定し、ＹＥＳであると、対応する拡張制御ワードを解析し、ＲＥ２とＲＥ３が当該スーパーフレームに処理を行わず、そうでないと、スーパーフレームをＲＥ２に転送し、ＲＥ２が受信したスーパーフレームが第２＼３号のスーパーフレームであるか否かを判定し、ＹＥＳであると、対応する拡張制御ワードを解析し、そうでないと、スーパーフレームをＲＥ３に転送する。ＲＥ３の処理は上述と同じであるので、ここで説明を省略する。
上記技術案によると、ＣＰＲＩプロトコルの制御ワードの拡張を実現でき、このようなプロトコルの制御ワードの拡張方法を他の類似するプロトコルに応用することもできる。
【実施例４】
【００３７】
本実施例において、一つのＲＥＣに三つのＲＥ（ＲＥ１＼ＲＥ２＼ＲＥ３）が接続され、各ＲＥは鎖形トポロジ構造であって、各ＲＥの上りでＹ個の拡張制御ワードを拡張しなければならなく、一つの基本フレームで一つの固定された制御ワードのみを伝送すると仮設する。
【００３８】
図５は、本発明の好適な実施例に係わるデータ伝送方法を示すフローチャート２であり、図５に示すように、以下のステップを含む。
スーパーフレームの数量を確定する（ステップＳ５０２）。
上りＲＥがＩＱデータをＲＥＣに送信する際、Ｙ個の基本フレームを選択してＹ個の拡張制御ワードの拡張に利用し、Ｙの具体的な値に応じて、必要なスーパーフレームの数量を確定し、本実施例において、各ＲＥが二つのスーパーフレームを利用しなければ上り拡張を完成することができないと仮説すると、三つのＲＥに６（Ｍ＝６）個のスーパーフレームが必要である。
【００３９】
各ＲＥと各スーパーフレームとの間の対応関係を確立する（ステップＳ５０４）。
上りＲＥ３が、第０＼１号のスーパーフレームである場合、Ｙ個の拡張制御ワードをＲＥ２に転送し、また、ＲＥ２はＲＥ３の拡張制御ワードを記憶し、その後、第０＼１号のスーパーフレームにて自分のＹ個の拡張制御ワードをＲＥ１に伝送し、第２＼３号のスーパーフレームにてＲＥ３の拡張制御ワードをＲＥ１に伝送し、ＲＥ１は、第０＼１、２＼３、４＼５号のスーパーフレームにそれぞれ、ＲＥ１、ＲＥ２、ＲＥ３の拡張制御ワードを設ける。つまり、上りの全てのＲＥに対応する拡張制御ワード情報をそれぞれ、異なるスーパーフレームに配置し、即ち、一つのスーパーフレームに含まれたデータはそれぞれ、一つの対応うｓるＲＥの専用の拡張制御ワードである。
【００４０】
ＲＥがＲＥＣにスーパーフレームを送信する（ステップＳ５０６）。
ＲＥ１が、それぞれＲＥ１、ＲＥ２、ＲＥ３の拡張制御ワードが設けられた第０＼１、２＼３、４＼５号のスーパーフレームをＲＥＣに送信する。全てのＲＥが拡張制御ワードを送信した後、ＲＥは、再びスーパーフレーム番号に応じて、継続して各自の拡張制御ワードを送信し、当該処理をループさせる。
【００４１】
ＲＥＣが制御ワードを解析する（ステップＳ５０８）。
ＲＥＣはスーパーフレーム番号に応じてそれぞれ解析処理を行う。スーパーフレーム番号が０＼１である場合、ＲＥ１の拡張制御ワードを解析し、スーパーフレーム番号が２＼３である場合、ＲＥ２の拡張制御ワードを解析し、スーパーフレーム番号が４＼５である場合、ＲＥ３の拡張制御ワードを解析する。
上記の技術案によると、ＣＰＲＩプロトコルの拡張制御ワードの拡張を実現することができ、このようなプロトコルの拡張制御ワードの拡張方法を他の類似するプロトコルに応用することもできる。
【実施例５】
【００４２】
本実施例において、一つのＲＥＣに三つのＲＥ（ＲＥ１＼ＲＥ２＼ＲＥ３）が接続され、各ＲＥが鎖形トポロジ構造であると仮説する。
図６は、本発明の好適な実施例に係わるシグナルがオンラインで下り処理を自己検査する方法を示すフローチャートであり、図６に示すように、以下のステップを含む。
ＲＥＣが定期的にチェックを発する（ステップＳ６０２）。
ＲＥＣが定期的にチェックを発し、自己検査シグナルデータパケットを送信し、当該自己検査シグナルデータパケットは、自己設定した特別なデータパケットフォーマットのデータパケットである。ＲＥＣは、一回に一つのＲＥのシグナル状態のみをチェックする。
【００４３】
ＲＥ１は、自分の自己検査シグナルデータパケットであるか否かを判定する（ステップＳ６０４）。
ＲＥ１は、自己検査シグナルデータパケットを受信した後、当該自己検査シグナルデータパケットが自分に所属するか否かを判定する。自分に所属すると、ステップＳ６０８を実行し、そうでないと、ステップＳ６０６を実行する。
【００４４】
当該自己検査シグナルデータパケットを転送する（ステップＳ６０６）。
ＲＥ１が、自己検査自シグナルデータパケットをＲＥ２に転送し、ステップＳ６１２を実行する。
【００４５】
自己検査応答データパケットをＲＥＣに送信する（ステップＳ６０８）。
ＲＥ１は、当該自己検査シグナルデータパケットのコンテンツが正確であるか否かを判定し、正確であると、自己検査応答データパケットをＲＥＣに送信する。ＲＥＣは、正確な自己検査応答データパケットを受信した後、ＲＥ１のシグナル状態が正常であると判定する。
【００４６】
ＲＥ１が、当該自己検査シグナルデータパケットを遮断する（ステップＳ６１０）。
ＲＥ１が、ＲＥ２とＲＥ３に送信されないように、当該自己検査シグナルデータパケットを遮断し、プロセスを終了する。
【００４７】
ＲＥ２が、自分の自己検査シグナルデータパケットであるか否かを判定する（ステップＳ６１２）。
ＲＥ２が、自分の自己検査シグナルデータパケットであるか否かを判定し、自分のものであると、ステップＳ６１４を実行し、そうでないと、自己検査シグナルデータパケットをＲＥ３に転送し、ＲＥ３の処理プロセスはＲＥ２に類似するので、ここで説明を省略する。
【００４８】
自己検査応答データパケットをＲＥＣに送信する（ステップＳ６１４）。
自己検査シグナルデータパケットのコンテンツが正確であると判定された後、一つの自己検査応答データパケットをＲＥ１を介してＲＥＣに転送する。ＲＥＣが、正確な自己検査応答データパケットを受信した後、ＲＥ２のシグナル状態が正常であると判定する。
【００４９】
自己検査シグナルデータパケットを遮断する（ステップＳ６１６）。
ＲＥ２が、ＲＥ３に送信されないように、自己検査シグナルデータパケットを遮断する。
上記技術案によると、ＣＰＲＩプロトコルのシグナルによるオンライン自己検査を実現することができ、このような自己検査方法を他の類似するプロトコルに応用することもできる。
【００５０】
上述のように、本発明の実施例によると、プロトコルがさらに多い制御ワードを支援し、プロトコルの制御ワードの自己検査を実現する技術効果を実現できる。
【００５１】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００５２】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００５３】
３２  設定モジュール
３４  送信モジュール
３６  自己検査モジュール
【図１】
0006616184.tif 000002
【図２】
0006616184.tif 000003
【図３】
0006616184.tif 000004
【図４】
0006616184.tif 000005
【図４ａ】
0006616184.tif 000006
【図５】
0006616184.tif 000007
【図６】
0006616184.tif 000008